(57)【特許請求の範囲】
【請求項１】
歯科補綴物用技工物を重合する際に、該歯科補綴物用技工物を保持する技工物重合用ポストであって、
前記歯科補綴物用技工物に設けられた凹部に先端を挿入可能な複数の突起部を有し、
前記突起部はヤング率が５ＧＰａ以下の材料により形成されていることを特徴とする、技工物重合用ポスト。
【請求項２】
前記複数の突起部のそれぞれは、先細となるように形成されている、請求項１に記載の技工物重合用ポスト。
【請求項３】
歯科補綴物用技工物を保持する部材である技工物重合用ポストと、
前記技工物重合用ポストを立設して保持する部材である技工物重合用スタンドと、を有し、
前記技工物重合用ポストは、
基部と、
前記基部から突出して設けられ、ヤング率が５ＧＰａ以下の材料により形成されている複数の突起部と、を具備するとともに、
前記基部に設けられた孔には、その一端が前記基部から突出するように棒状のピンが差し込まれ、又は前記基部から突出するように立設突起が設けられ、
前記技工物重合用スタンドはブロック状の本体を有し、該本体には前記ピンの前記一端又は前記立設突起が挿入されて前記技工物重合用ポストを立設して保持する複数の孔が設けられている、技工物重合用保持装置。
【請求項４】
歯科補綴物用技工物を保持する部材である技工物重合用ポストと、
前記技工物重合用ポストを立設して保持する部材である技工物重合用スタンドと、を有し、
前記技工物重合用ポストは、
基部と、
前記基部から突出して設けられ、ヤング率が５ＧＰａ以下の材料により形成されている複数の突起部と、を備え、
前記技工物重合用スタンドはブロック状の本体を有し、該本体には前記基部が挿入されて前記技工物重合用ポストを立設して保持する複数の孔が設けられている、技工物重合用保持装置。
【請求項５】
前記複数の突起部のそれぞれは、先細となるように形成されている、請求項３又は４に記載の技工物重合用保持装置。
【発明の詳細な説明】
【技術分野】
【０００１】
本発明は、歯科、歯科技工の分野で用いられる技工物重合用ポスト、及びこれを含む技工物重合用保持装置に関する。特に、光重合型材料及び加熱重合型材料（以下、合わせて「重合材料」と記載する。）を用いた歯科補綴物を形成する際に、歯科補綴物用技工物を重合器に安定して設置させることができる技工物重合用ポスト、及び技工物重合用保持装置に関する。
【背景技術】
【０００２】
クラウンやブリッジ等の歯科補綴物を構成する材料として、金属、レジン（樹脂）、セラミック、ジルコニア等を挙げることができ、それぞれが特徴を有している。そのなかで、樹脂を含む歯科補綴物を製作するに際しては、形成すべき歯型を転写して模した金属等による基材の表面に重合材料を塗布する等して配置した歯科補綴物用技工物を重合器に設置し、重合材料を重合器で硬化させる過程がある。
このとき、歯科補綴物用技工物を重合器内に安定して設置するために、棒状部材であるポスト又はダウエルピンを用いる（以下このような棒状部材を総称して「ピン」と記載する。）。具体的には、ピンの一端を台座となる技工物重合用スタンドに差し込んでピンを立設し、ピンの他端を歯科補綴物用技工物に設けられた凹部に差し込む、又はピンの他端に当該凹部を引っ掛けるように配置する。
【０００３】
特許文献１、２には、従来の例にかかるピンが開示されている。
特許文献１には、歯科技工用重合器を用いて歯科修復物を重合させる場合に金属製丸棒のピン（ポスト）が適用される旨の記載がある。
特許文献２には、歯科技工加工用の焼成物を形成するに際して該焼成物を支持する支持ピンが開示されている。この文献によれば、支持ピンは簡単な筒状金属ピンであると記載されている。
【先行技術文献】
【特許文献】
【０００４】
【特許文献１】特開２００８−２９５９０８号公報
【特許文献２】特開平１０−１９２３０４号公報
【発明の概要】
【発明が解決しようとする課題】
【０００５】
しかしながら、ピンは特許文献１、２に記載のように比較的単純な棒状の金属で形成されており、また、樹脂により形成されているものもあるが、ピン端部の形状と歯科補綴用技工物の凹部の形状との関係が保持の観点から必ずしも適切であるとは言えなかった。従って、歯科補綴物用技工物をピンに装着し、これを重合器の回転テーブルに設置して回転させながら重合させていると、振動等で歯科補綴物用技工物が落下してしまうこともあった。
【０００６】
そこで本発明は、歯科補綴物用技工物をより安定して保持することができる技工物重合用ポストを提供することを課題とする。また、これを含む技工物重合用保持装置を提供する。
【課題を解決するための手段】
【０００７】
以下、本発明について説明する。ここではわかりやすさのため図面に付した符号を括弧書きで記載するが、本発明は図面に記載の形態に限定されるものではない。
【０００８】
請求項１に記載の発明は、歯科補綴物用技工物（１、２）を重合する際に、該歯科補綴物用技工物を保持する技工物重合用ポスト（１０、２０、３０）であって、歯科補綴物用技工物に設けられた凹部に先端を挿入可能な複数の突起部（１２）を有し、突起部はヤング率が５ＧＰａ以下の材料により形成されていることを特徴とする、技工物重合用ポストである。
請求項２に記載の発明は、請求項１に記載の技工物重合用ポストにおいて、複数の突起部（１２）のそれぞれは、先細となるように形成されている。
【０００９】
請求項３に記載の発明は、歯科補綴物用技工物（１、２）を保持する部材である技工物重合用ポスト（１０、２０）と、技工物重合用ポストを立設して保持する部材である技工物重合用スタンド（３）と、を有し、技工物重合用ポストは、基部（１１）と、基部から突出して設けられ、ヤング率が５ＧＰａ以下の材料により形成されている複数の突起部（１２）と、を具備するとともに、基部に設けられた孔には、その一端が基部から突出するように棒状のピン（４）が差し込まれ、又は基部から突出するように立設突起（２１）が設けられ、技工物重合用スタンドはブロック状の本体（３）を有し、該本体にはピンの一端又は立設突起が挿入されて技工物重合用ポストを立設して保持する複数の孔（３ｂ）が設けられている、技工物重合用保持装置である。
【００１０】
請求項４に記載の発明は、歯科補綴物用技工物（１、２）を保持する部材である技工物重合用ポスト（１０）と、技工物重合用ポストを立設して保持する部材である技工物重合用スタンド（２０３）と、を有し、技工物重合用ポストは、基部（１１）と、基部から突出して設けられ、ヤング率が５ＧＰａ以下の材料により形成されている複数の突起部（１２）と、を備え、技工物重合用スタンドはブロック状の本体（２０３ａ）を有し、該本体には基部が挿入されて技工物重合用ポストを立設して保持する複数の孔（２０３ｂ）が設けられている、技工物重合用保持装置（２００）である。
請求項５に記載の発明は、請求項３又は４に記載の技工物重合用保持装置（２００）において、複数の突起部（１２）のそれぞれは、先細となるように形成されている。
【発明の効果】
【００１１】
本発明によれば、所定の弾性を有する複数の突出部が変形して歯科補綴物用技工物の凹部内で広がるように該凹部の壁面を押圧する。従って、歯科補綴物用技工物をより安定して保持することができる。また、凹部の形状が異なる様々な種類の歯科補綴物用技工物に対しても柔軟に対応して同様の効果を奏するものとなる。
【図面の簡単な説明】
【００１２】
【図１】第一実施形態を説明する図であり、技工物重合用保持装置の分解斜視図である。
【図２】ピンを装着した技工物重合用ポストの正面図、及び平面図に対応した説明図である。
【図３】図１の組み合わせ図である。
【図４】第二実施形態を説明する図であり、技工物重合用ポストの正面図に対応した説明図である。
【図５】第三実施形態を説明する図であり、技工物重合用ポストの正面図に対応した説明図である。
【図６】第四実施形態を説明する図であり、技工物重合用保持装置の分解斜視図である。
【発明を実施するための形態】
【００１３】
本発明の上記した作用及び利得は、次に説明する発明を実施するための形態から明らかにされる。以下、本発明を図面に示す実施形態に基づき説明する。ただし本発明はこれら実施形態に限定されるものではない。各図では見やすさのため、繰り返しとなる符号は省略していることがある。
【００１４】
図１は、第一実施形態を説明する図であり、技工物重合用保持装置１００、及びクラウン用技工物１、ブリッジ用技工物２を併せて示した分解斜視図である。
【００１５】
クラウン用技工物１は、保持の対象となる歯科補綴物用技工物の１つであり、歯科補綴物であるクラウンを形成するための技工物である。クラウンは、虫歯の治療等で削った歯牙、又は人工的に取り付けた土台に被せる歯科補綴物であり、金属等により形成される基材と該基材の表面に積層された樹脂とを具備する歯科補綴物である。クラウン用技工物１はこのようなクラウンを製造するための部材で、歯牙の形状を転写して模した基材の表面に、積層された樹脂となる重合材料が積層されて構成されている。クラウン用技工物１のうち、重合材料が配置されない側には後述する技工物重合用ポスト１０の一端が挿入できるような不図示の凹部を備えている。
【００１６】
ブリッジ用技工物２も保持の対象となる歯科補綴物用技工物の１つであり、歯科補綴物であるブリッジを形成するための技工物である。ブリッジは、何らかの理由で欠損等した歯牙の部分を埋めるため、この欠損部分の両側の残存歯を削って土台にし、人工の歯でかけ渡すように配置する歯科補綴物であり、金属等により形成される基材と該基材の表面に積層された樹脂とを具備する歯科補綴物である。ブリッジ用技工物２はブリッジを製造するための部材で、歯牙の形状を転写して模した基材の表面に、積層された樹脂となる重合材料が積層されている。ブリッジ用技工物２のうち、重合材料が配置されない側には後述する技工物重合用ポスト１０の一端が挿入できるような不図示の凹部を備えている。
【００１７】
なお、以下ではクラウン用技工物１、及びブリッジ用技工物２を併せて歯科補綴物用技工物１、２と記載することがある。
【００１８】
技工物重合用保持装置１００は、技工物重合用スタンド３、ピン４、及び技工物重合用ポスト１０を備えている。
【００１９】
技工物重合用スタンド３は、ピン４や技工物重合用ポスト１０を立設した姿勢に保持する台座として機能する部材であり、全体として円柱状の本体３ａを具備している。そして、本体３ａには上端面から下端面側に向けて延びる複数の孔３ｂが設けられている。当該孔３ｂはピン４の一端側を差し込んで該ピン４を立設させることができるように構成されている。
このような技工物重合用スタンドとしては公知のものを用いることができ、その形態は特に限定されることはない。
【００２０】
ピン４は棒状の金属部材であり、その一端が技工物重合用スタンド３の孔３ｂに差し込めるように構成されている。このようなピン４は上記説明したような公知のピンを用いることができる。
【００２１】
技工物重合用ポスト１０は、歯科補綴物用技工物１、２に含まれる重合材料を重合器の中で硬化させるに際し、歯科補綴物用技工物１、２を重合器の中で安定して保持する部材である。図２に技工物重合用ポスト１０を拡大して示した。図２では技工物重合用ポスト１０にピン４が差し込まれている状態を表している。図２の下段が正面図、図２の上段が平面図に対応する説明図である。
【００２２】
図１、図２からわかるように、技工物重合用ポスト１０は円柱状の基部１１を有し、基部１１の一方の端面からは突出するように複数の突出部１２が設けられている。本実施形態では４つの突出部１２が基部１１の円形である端面の外周部に沿って並べられるように配置されている。
【００２３】
基部１１は突出部１２を形成するための基材部分として機能する。従って基部１１は、このような機能を有するものであれば特にその形状は限定されない。例えば本実施形態の基部１１は径の異なる２つの円柱が同軸に並べられている形態であるが、これに限定されず、径が一定の基部であってもよい。また、円柱である必要もなく多角柱であってもよい。
【００２４】
基部１１には、突出部１２が設けられる端面とは反対側の端面に、ピン４の一端側を差し込むことができるように不図示の孔が設けられている。これにより図２に示したように技工物重合用ポスト１０とピン４とを一体化することができる。当該孔は基部１１を貫通していても、貫通していなくてもよい。
【００２５】
基部１１を構成する材料は特に限定されない。ただし、技工物重合用ポスト１０全体の成形性を考慮すれば、後述する突出部１２と同じ材料であることが好ましい。
【００２６】
突出部１２は、基部１１の一方の端面から突出するように設けられる複数の部材である。本実施形態では４つの突出部１２が基部１１の円形である端面の外周部に沿って並べられるように配置されている。
【００２７】
突出部１２は、軟らかい材料により形成されており、弾性に富むものとなっている。これにより、歯科補綴物用技工物１、２の凹部に対して複数の突出部１２を差し込んで配置させるに際し、複数の突出部１２の先端を互いに近付けるように変形させて差し込むことができる。そして、複数の突出部１２が歯科補綴物用技工物１、２の凹部内に広がるようにして該凹部の壁面を付勢し、歯科補綴物用技工物１、２を安定して強く保持することが可能となる。
また、突出部１２が柔らかい材料により形成されることによって、歯科補綴物用技工物１、２に対して傷をつけにくくし、繰り返しの使用にも強いものとすることができる。
【００２８】
このように、突出部１２は、複数の突出部１２が歯科補綴物用技工物１、２の凹部内で広がるようにして付勢し得るような弾性の範囲内で変形できればよい。具体的には、突出部１２はヤング率が５ＧＰａ以下のゴム、樹脂、エラストマーであることが好ましい。そしてそのための材質としては例えばシリコーン、ニトリルゴム、フッ素ゴム、ポリプロピレン、ポリエチレンテレフタレート、ポリカーボネート、ポリアミド、フッ素樹脂等を挙げることができる。また、弾性・耐熱性・耐衝撃性等を向上させるために樹脂にガラス繊維などを含有させた材料や、２種類以上の樹脂を混合した材料であってもよい。
また、ヤング率は１ＭＰａ以上であることが好ましい。これより小さいヤング率とすると、歯科補綴物用技工物１、２を保持するには軟らか過ぎ、振動で変形して外れやすくなる可能性がある。また、このような材料は発泡ポリマーのような空気を含んだ素材になる可能性が高く、適用する材料として適さないと考えられる。
【００２９】
ここで、突出部１２にシリコーンを用いたり、その他の手段により耐熱温度を高くしたりすることにより、技工物重合用ポスト１０を加熱重合器に入れることもできる。すなわち、歯科補綴物となる重合材料が加熱重合型材料であるときにも用いることが可能となる。この場合には、突出部１２の材料の耐熱温度が８０℃以上であることが好ましい。加熱重合型材料は通常８０℃以上とすることにより硬化するものが多いからである。
【００３０】
突出部１２は、基部１１から突出して歯科補綴物用技工物１、２の凹部に入って、該歯科補綴物用技工物１、２を保持することができればその形態は特に限定されることはなく、あらゆる形状を取り得る。その中でも、突出部１２は、図２に表れているように柱状であることが好ましい。これにより、弾性変形がし易すくなり歯科補綴物用技工物１、２の凹部内に適合しやすくなる。
【００３１】
突出部１２は基部１１側の端部から、その反対側の端部に延びるにつれて先細となるいわゆるテーパ形状であることが好ましい。これにより、歯科補綴物用技工物１、２の凹部への突出部１２の挿入もし易くなる。また、成形型を利用して技工物重合用ポスト１０を製造する場合には、このテーパが型からの抜き勾配としても作用し、製造の容易性を向上させることができる。
【００３２】
突出部１２の先端（基部１１とは反対側の端部）には、凹凸を設けても良い。これによれば、突出部１２が歯科補綴物用技工物１、２の凹部からさらに抜けにくくなる。凹凸の形状は特に限定されることはないが、例えばシボ形状等を挙げることができる。
【００３３】
本実施形態では、図２からわかるように、４つの突出部１２が基部１１の端面の外周部に沿って並ぶように配列されている。ただし突出部１２の数は２つ以上であればよく、及びその配列の形態も特に限定されることはない。
【００３４】
例えば、臼歯のための歯科補綴物用技工物では、その形態の特徴から、３つ以上の突出部が基部端面の外周部に沿って配列されていることが好ましい。従って、上記実施形態も臼歯のための歯科補綴物用技工物に適した形状であるといえる。
このときの具体的な寸法も限定されることはないが、歯科補綴物用技工物の通常の大きさを考慮すれば、突出部の高さ（図２にＩＩｂで示した大きさに相当）は、５ｍｍ以上が好ましい。また、重合器内に設置する観点から５０ｍｍ以下が好ましく、技工物重合用ポスト１０を製造する際の成型性の観点からは２０ｍｍ以下が好ましい。
一方、外径（図２にＩＩａで示した大きさに相当）は、歯科補綴物用技工物の通常の大きさを考慮すれば１０ｍｍ以内が好ましい。これ以上大きいと歯科補綴物用技工物の凹部に適切に挿入することができない場合が多くなる。また、この外径は３ｍｍ以上であることが好ましい。これ以上細いと歯科補綴物用技工物の凹部内で複数の突出部が凹部の壁を押圧し難くなり、保持が弱くなる可能性が高まる。
【００３５】
一方、前歯のための歯科補綴物用技工物では、その形態の特徴から、２つ以上の突出部が基部端面から立設され、当該突出は基部端面の直径方向に沿った方向に並ぶように配列していることが好ましい。配列のパターンは限定されることなく、例えば一直線状に配列してもよく、３つ以上の突出部が２次元的にいわゆるｘ−ｙ方向に配列されてもよい。
このときの具体的な寸法も限定されることはないが、歯科補綴物用技工物の通常の大きさを考慮すれば、突出部の高さ（図２にＩＩｂで示した大きさに相当）は、上記と同様の理由で、５ｍｍ以上、５０ｍｍ以下が好ましく、２０ｍｍ以下がさらに好ましい。また突出部のうち高さ方向に直交する断面では、いずれの方向の大きさも、１０ｍｍ以内が好ましい。また、技工物重合用ポスト１０を製造する際の成型性の観点から、少なくとも基部１１との連結部分（すなわち突出部１２の根元部分）で１ｍｍ以上が好ましい。
【００３６】
さらには、突出部は上記したような柔らかい材料により形成されているので、はさみやカッター等によりその一部を切除することができ、必要な形状に調整することもできることが好ましい。
【００３７】
以上のような構成を備える技工物重合用保持装置１００、及び歯科補綴物用技工物１、２は例えば次のように組み合わせられている。図３に説明のための図を示した。図３は、各部材について分解して示した図１に対して、これら各部材を組み合わせて表した図である。
図１と図３とを対比させるとわかるように、技工物重合用スタンド３の孔３ｂにピン４の一端が挿入され、ピン４が立設されている。ピン４の他端は、技工物重合用ポスト１０の基部１１のうち突出部１２が備えられていない側の端面に設けられた孔に差し込まれている。これにより技工物重合用ポスト１０がピン４を介して技工物重合用スタンド３に立設される。
立設された技工物重合用ポスト１０は、突出部１２が上方に延びるように配置されている。そしてその先端に歯科補綴物用技工物１、２が配置される。より詳しくは、複数の突出部１２の先端が歯科補綴物用技工物１、２に設けられた凹部に挿入されている。このとき、複数の突出部１２が当該凹部内で広がるように凹部の内壁を押圧するように配置されている。このように歯科補綴物用技工物１、２を保持するので、より安定した保持が可能である。
【００３８】
このように組み合わされた状態で、これら各部材を重合器の中に設置し、歯科補綴物用技工物１、２の外表面に具備された重合材料を硬化させる。重合材料が光重合型材料であれば光重合器、重合材料が加熱重合型材料であれば加熱重合器に設置する。
いずれの重合器内でも、回転テーブルにより回転しながら重合がおこなわれる場合には振動が大きいことがあるが、技工物重合用ポスト１０によれば、安定して歯科補綴物用技工物１、２を保持できるので、当該振動に対しても強い。また、技工物重合用ポスト１０の突出部１２は、歯科補綴物用技工物１、２をその凹部の内側から支えて保持するので、歯科補綴物用技工物１、２の外表面に配置されている重合材料に対して影を作ることがなく、特に光重合の場合にはかかる観点からも硬化が適切に行われる。
【００３９】
以上の実施形態の技工物重合用ポスト１０では、基部１１の一端面側にピン４を差し込める孔を設けた例を説明した。これによれば、従来から用いられている技工物重合用スタンド３やピン４を変更なく用いることができるので汎用性が高い。
【００４０】
図４は第二実施形態を説明する図で、技工物重合用ポスト２０の正面図に対応する説明図である。技工物重合用ポスト２０は、基部１１の下面側に立設突起２１を備えている点で技工物重合用ポスト１０と異なる。他の部位については上記説明と共通するので、同じ符号を付して説明は省略する。
【００４１】
立設突起２１は、基部１１のうち突出部１２とは反対側に配置される棒状の部材で、上記した技工物重合用スタンド３の孔３ｂに挿入して技工物重合用ポスト２０を立設することを可能とする。これによれば、別途ピン４を必要としないので、部材点数削減が可能となる。従って、このような機能を有するものであればその形状及び材質は特に限定されるものではない。ただし、製造の観点から、基部１１と同じ材料であるとともに基部１１と一体に成型されていることが好ましい。
【００４２】
図５は、第三の実施形態を説明する図で、技工物重合用ポスト３０の正面図に対応する説明図である。技工物重合用ポスト３０は、基部１１の下面側に台座３１が配置されている点で技工物重合用ポスト１０と異なる。他の部位については上記説明と共通するので、同じ符号を付して説明は省略する。
【００４３】
台座３１は、基部１１のうち突出部１２とは反対側に配置されるブロック状の部材である。台座３１は、基部１１及び突出部１２が技工物重合用スタンドやピンを用いることなく立設した姿勢を維持させる機能を有する。従って、このような機能を有するものであればその形状及び材質は特に限定されるものではない。
技工物重合用ポスト３０によれば、当該技工物重合用ポスト３０に歯科補綴物用技工物を配置し、ピン４や技工物重合用スタンド３を用いることなく、そのまま重合器の中に設置することができるので、さらに利便性が向上する。
【００４４】
図６は第四実施形態を説明する図で、技工物重合用保持装置２００を分解して表した斜視図である。技工物重合用保持装置２００は、技工物重合用スタンド２０３及び技工物重合用ポスト１０を備えている。技工物重合用ポスト１０は上記したものと共通するので同じ符号を付してその説明は省略する。
【００４５】
技工物重合用スタンド２０３は、技工物重合用ポスト１０を立設した姿勢に保持する台座として機能する部材であり、全体として円柱状の本体２０３ａを具備している。そして、本体２０３ａには上端面から下端面側に向けて延びる複数の孔２０３ｂが設けられている。当該孔２０３ｂには技工物重合用ポスト１０の基部１１の一端側を差し込んで該技工物重合用ポスト１０を立設させることができるように構成されている。
【００４６】
すなわち、本実施形態の技工物重合用保持装置２００によれば、ピン４を介することなく技工物重合用ポスト１０の基部１１を孔２０３ｂに直接差し込めば技工物重合用ポスト１０を立設させることができる。従ってピン４を必要としない構成となる。
【００４７】
ここで、上記した各実施形態の技工物重合用スタンド３、２０３は、それぞれの趣旨により技工物重合用ポスト１０を立設させることができれば、具体的な形態は特に限定されることはない。例えば本体３ａ、２０３ａは必ずしも円柱状である必要はなく、多角柱状であってもよい。また孔３ｂ、２０３ｂも貫通孔であるか、貫通しない孔であるかに限定されない。さらに孔３ｂ、２０３ｂの長手方向に直交する断面形状も円形、多角形、スリット状等、特に限定されることなく必要に応じた形状を適用することが可能である。
【符号の説明】
【００４８】
１  クラウン用技工物（歯科補綴物用技工物）
２  ブリッジ用技工物（歯科補綴物用技工物）
３  技工物重合用スタンド
４  ピン
１０  技工物重合用ポスト
１１  基部
１２  突出部
２０  技工物重合用ポスト
２１  立設突起
３０  技工物重合用ポスト
３１  台座
１００  技工物重合用保持装置
２００  技工物重合用保持装置
【図１】
0005837386.tif 000002
【図２】
0005837386.tif 000003
【図３】
0005837386.tif 000004
【図４】
0005837386.tif 000005
【図５】
0005837386.tif 000006
【図６】
0005837386.tif 000007